(57)【要約】【課題】好みに応じて、ペット用マットとしても、ペット用寝袋としても使用することができるペット用ベッドを提供することを目的とする。【解決手段】第一布部２の一の側縁２ｃに第一布部２に対向する第二布部３が延設されているペット用ベッド１において、第一布部１の他の側縁２ｄに沿って係止部４１，４２，４３，４４を複数備え、第二布部３の他の側縁３ｄに沿って係止部４１，４２，４３，４４が係止される被係止部５１，５２，５３，５４を複数備える。そして、第一布部２に第二布部３を重ね合わせて係止部４１，４２，４３，４４の各々を被係止部５１，５２，５３，５４の各々に係止することにより、ペット用マットが形成され、第一布部２に第二布部３を重ね合わせて一部の係止部４１，４２，４３を被係止部に係止し、残りの係止部４４を非係止の状態とすることにより、ペット用の出入り口Ｅ１を１つ有するペット用寝袋が形成される構成する。  【選択図】図１
2009296894.tif 000002
【特許請求の範囲】
【請求項１】
第一布部の一の側縁に前記第一布部に対向する第二布部が延設されているペット用ベッドにおいて、
前記第一布部は、他の側縁に沿って係止部を複数備え、
前記第二布部は、他の側縁に沿って前記係止部が係止される被係止部を複数備え、
前記第一布部に前記第二布部を重ね合わせて前記係止部の各々を前記被係止部の各々に係止することにより、ペット用マットが形成され、
前記第一布部に前記第二布部を重ね合わせて一部の前記係止部を前記被係止部に係止し、残りの前記係止部を非係止の状態とすることにより、ペット用の出入り口を１つ有するペット用寝袋が形成される構成としてあることを特徴とするペット用ベッド。  
【請求項２】
請求項１に記載のペット用ベッドであって、
前記第一布部に前記第二布部を重ね合わせて一部の前記係止部を前記被係止部に係止し、残りの前記係止部を非係止の状態とすることにより、前記出入り口を２つ有するペット用トンネルが形成される構成としてあることを特徴とするペット用ベッド。  
【請求項３】
請求項１又は請求項２に記載のペット用ベッドであって、
前記係止部は、先端部に係止手段が設けられた係止バンドで構成されており、
前記第一布部に前記係止バンドの基端部が固定され、前記第二布部に前記係止手段が係止される被係止手段が前記被係止部を構成するよう固定されていることを特徴とするペット用ベッド。
【請求項４】
請求項１乃至請求項３のいずれか１つに記載のペット用ベッドであって、
前記係止手段及び前記被係手段が面ファスナーであることを特徴とするペット用ベッド。
【発明の詳細な説明】
【技術分野】
【０００１】
本発明は、犬や猫等のペットに使用させるペット用ベッドに関する。
【背景技術】
【０００２】
従来、犬や猫等のペットに使用させるペット用ベッドとして、単純なマット状のものや、ペットがもぐりこむことができる寝袋状のもの（例えば、特許文献１）や、ペットが中に出入りして遊ぶことができるトンネル状のもの（例えば、特許文献２）が知られている。
【０００３】
このようなペット用ベッドの購入に際して、飼い主は、自分のペットがどのような形状のベッドを好むかを類推してベッドを購入するのが一般的である。
【特許文献１】実用新案登録第３１０８７９５号公報
【特許文献２】意匠登録第１２３３０７９号公報
【発明の開示】
【発明が解決しようとする課題】
【０００４】
しかしながら、例えば、飼い主が寝袋状のベッドあるいはトンネル状のベッドがよいと思って購入したとしても、ペットが飼い主の意に反してそれに全く寄りつかず、せっかく購入したベッドが無駄になるということがあった。
【０００５】
また、ペットが、寝袋状のベッドあるいはトンネル状のベッドを中に出入りして遊ぶ遊戯具として好んだとしても、実際に中に入って休息することを好まないような場合には、さらに、別の形状のベッドを用意しなければならず、不経済であった。
【０００６】
本発明は、このような状況に鑑みてなされたものであって、好みに応じて、ペット用マットとしても、ペット用寝袋としても使用することができるペット用ベッドを提供することを目的とする。
【課題を解決するための手段】
【０００７】
本発明に係るペット用ベッドは、第一布部の一の側縁に前記第一布部に対向する第二布部が延設されているペット用ベッドにおいて、前記第一布部は、他の側縁に沿って係止部を複数備え、前記第二布部は、他の側縁に沿って前記係止部が係止される被係止部を複数備え、前記第一布部に前記第二布部を重ね合わせて前記係止部の各々を前記被係止部の各々に係止することにより、ペット用マットが形成され、前記第一布部に前記第二布部を重ね合わせて一部の前記係止部を前記被係止部に係止し、残りの前記係止部を非係止の状態とすることにより、ペット用の出入り口を１つ有するペット用寝袋が形成される構成としてあることを特徴とする。  
【０００８】
この構成により、第一布部に設けられた係止部を、好みに応じて自由に、第二布部に設けられた被係止部に係止することにより、ペット用ベッドを、ペット用マット又はペット用寝袋に変形させることができる。つまり、本発明に係るペット用ベッドは、第一布部及び第二布部の一方をペットの下に敷き、第一布部及び第二布部の他方をペットの上から掛けて使用することができるだけでなく、ペットの下に敷くペット用マットとして使用したり、ペットがもぐり込むことができるペット用寝袋として使用したりすることが可能であるので、購入したベッドが無駄になることや、種々の形状のベッドを揃える必要がなく、経済的且つ利便性に優れる。
【０００９】
本発明に係るペット用ベッドでは、前記第一布部に前記第二布部を重ね合わせて一部の前記係止部を前記被係止部に係止し、残りの前記係止部を非係止の状態とすることにより、前記出入り口を２つ有するペット用トンネルが形成される構成としてあってもよい。
【００１０】
この構成によれば、ペット用ベッドを、さらに、ペットが出入りして遊ぶことができるペット用トンネルとして使用することができる。
【００１１】
本発明に係るペット用ベッドでは、前記係止部は、先端部に係止手段が設けられた係止バンドで構成されており、前記第一布部に前記係止バンドの基端部が固定され、前記第二布部に前記係止手段が係止される被係止手段が前記被係止部を構成するよう固定されていてよい。
【００１２】
この構成によれば、ペットの毛が絡まり難い係止部及び被係止部を構成することができる。
【００１３】
本発明に係るペット用ベッドでは、前記係止手段及び前記被係手段が面ファスナーであってもよい。
【００１４】
この構成によれば、ペット用マット、ペット用寝袋、又はペット用トンネルとして使用している際に、被係止部への係止部の係止が外れることを防止できる。
【発明の効果】
【００１５】
本発明に係るペット用ベッドによれば、第一布部に設けられた係止部を、好みに応じて自由に、第二布部に設けられた被係止部に係止することにより、ペット用ベッドを、ペット用マット又はペット用寝袋に変形させることができる。
【発明を実施するための最良の形態】
【００１６】
以下、本発明の実施の形態について、図１〜４を参照して説明する。
【００１７】
図１は、本発明の実施の形態に係るペット用ベッドの概略構成を示す概略構成図である。図２は、本発明の実施の形態に係るペット用ベッドを、第一布部の外面側から視たときの斜視図であり、図３は、本発明の実施の形態に係るペット用ベッドを、第二布部の外面側から視たときの斜視図である。また、図４は、本発明の実施の形態に係るペット用ベッドにおいて、係止部を被係止部へ係止する方法を説明するための説明図である。
【００１８】
なお、図２及び図３は、第一布部２に第二布部３を重ね合わせたときの状態を示している。ただし、図２では、第一布部２の係止部４１，４２，４３，４４は全て第二布部３の被係止部５１，５２，５３，５４に係止されているものとする。また、図３は、第二布部３の外面３ｂの構成を説明するための図であり、被係止部５１，５２，５３，５４には係止部４１，４２，４３，４４が係止されていないものとする。また、図３では、第二布部３の外面３ｂの構成を分かりやすくするため、第一布部２に設けられた係止バンド（係止部）４１，４２，４３，４４の図示を省略した。
【００１９】
また、本明細書中、第一布部２において、第二布部３と重なり合う側の面を内面２ａといい、その内面と対向する面を外面２ｂというものとする。第二布部３においても同様に、第一布部２と重なり合う側の面を内面３ａといい、その内面と対向する面を外面３ｂというものとする。
【００２０】
本発明の実施の形態に係るペット用ベッド１は、第一布部２の一の側縁２cに、第一布部２に対向する第二布部３が縫着により延設された構成とされており、図２に示すように、第一布部２と第二布部３とを重ね合わせた時に、全体として果物、具体的には洋なしの形態を呈するように構成されている。
【００２１】
このような本実施の形態に係るペット用ベッド１において、第一布部２及び第二布部３は、柔軟性のある素材で作成されている。
【００２２】
柔軟性のある素材としては、例えば、ポリエステル、アクリル、ナイロンその他の化学繊維や、木綿、毛、その他の天然動植物繊維からなる、ボア、モヘヤ、フランネル、フリース、フェルト、ベルベット、天竺、帆布、フェイクファー等の起毛繊維材、及びこれらに類する質感の織布、不織布、合成又は天然皮革、さらには繊維風の質感を模した樹脂製シート材や紙製シート材等を使用することができる。
【００２３】
また、本実施の形態に係るペット用ベッド１において、第一布部２は両面が同一の素材で作成されており、第二布部３は両面が異なる素材で作成されている。具体的には、第一布部２において、内面２ａ及び外面２ｂは、フリース素材で作成されている。また、第二布部３において、内面３ａは、ボア素材で作成されており、外面３ｂは、第一布部２と同様に、フリース素材で作成されている。
【００２４】
また、本実施の形態に係るペット用ベッド１の第一布部２は、他の側縁２ｄに沿って、４つの係止部（係止バンド４１，４２，４３，４４）を備える。なお、本実施の形態において、係止バンド４１，４２，４３，４４は、先端部に係止手段４１１，４２１，４３１，４４１が設けられ、基端部４１ａ，４２ａ，４３ａ，４４ａが第一布部２の内面２ａに縫着により固定されている。ここで、４つの係止バンド４１，４２，４３，４４の基端部４１ａ，４２ａ，４３ａ，４４ａは、第一布部２の他の側縁２ｄに沿って所定の間隔を空けて配列されている。
【００２５】
また、第二布部３は、他の側縁３ｄに沿って、係止バンド４１，４２，４３，４４が係止される被係止部を４つ（被係止部を構成する被係止手段５１，５２，５３，５４）を備える。本実施の形態では、第一布部２に取り付けられた係止バンド４１，４２，４３，４４の係止手段４１１，４２１，４３１，４４１が、第二布部３の外面３ｂに係止される構成となっている。すなわち、図４に示すように、第二布部３には、係止バンド４１（４２，４３，４４）の基端部４１ａ（４２ａ，４３ａ，４４a）と対向する位置の裏側（外面３ｂ）に、被係止手段５１（５２，５３，５４）が取り付けられ、被係止部が構成されている。
【００２６】
また、上記した係止手段４１１，４２１，４３１，４４１及び被係止手段５１，５２，５３，５４は、面ファスナーのループテープとフックテープにより構成されている。なお、本実施の形態において、係止手段４１１，４２１，４３１，４４１及び被係止手段５１，５２，５３，５４は、特に限定されるものではなく、面ファスナーのループテープとフックテープの他には、例えば、スナップのソケットサイドとボールサイドであっても、ボタンとボタンホールであってもよい。
【００２７】
このような、本実施の形態に係るペット用ベッドは、図５〜図８に示すように、ペット用ベッド、ペット用マット、ペット用寝袋、又はペット用トンネルとして使用することが可能である。
【００２８】
図５は、本発明の実施の形態に係るペット用ベッドを、通常のペット用ベッドとして使用する場合の使用法を説明するための説明図である。なお、ここで、通常のペット用ベッドとは、ペットの下に敷く敷布部と、ペットの上から掛ける掛布部を備えるペット用のベッドのことをいうこととする。
【００２９】
通常のペット用ベッドとして使用する場合には、第一布部２に設けられた４つの係止部としての係止バンド４１，４２，４３，４４を全て、非係止の状態とし、第一布部２及び第二布部３の一方を敷布部としてペットの下に敷き、第一布部２及び第二布部３の他方を掛布部としてペットの上から掛けて使用する。なお、本実施の形態では、上記したように、第二布部３の内面３ａがボア素材で作成され、第一布部２の内面２ａがフリース素材で作成されているので、第二布部３を敷布部とし、第一布部２を掛布部として使用した方が、ペットが安眠し易い。
【００３０】
図６は、本発明の実施の形態に係るペット用ベッドを、ペット用マットとして使用する場合の使用法を説明するための説明図である。
【００３１】
ペット用マットとして使用する場合には、第一布部２に第二布部３を重ね合わせて第一布部２に設けられた４つの係止部としての係止バンド４１，４２，４３，４４の各々を、第二布部３に設けられた４つの被係止部を構成する被係止手段５１，５２，５３，５４の各々に係止し、ペットの下に敷いて使用する。
【００３２】
図７は、本発明の実施の形態に係るペット用ベッドを、ペット用寝袋として使用する場合の使用法を説明するための説明図である。
【００３３】
ペット用寝袋として使用する場合には、第一布部２に設けられた４つの係止バンド４１，４２，４３，４４のうち、隣り合う３つの係止バンド４１，４２，４３を、第二布部３に設けられた被係止手段５１，５２，５３に係止し、残りの係止バンド４４を非係止の状態とする。これにより、ペット用の出入り口Ｅ１を１つ有するペット用寝袋が構成されるので、ペットは、出入り口Ｅ１から第一布部２と第二布部３の間にもぐりこむことができる。
【００３４】
図８は、本発明の実施の形態に係るペット用ベッドを、ペット用トンネルとして使用する場合の使用法を説明するための説明図である。
【００３５】
ペット用トンネルとして使用する場合には、第一布部２に設けられた４つの係止バンド４１，４２，４３，４４のうち、中央の２つの係止バンド４２，４３を被係止手段５２，５３に係止し、残りの係止バンド４１，４４を非係止の状態とする。これにより、２つのペット用の出入り口Ｅ１，Ｅ２を有するペット用トンネルが構成されるので、ペットは、これら２つの出入り口Ｅ１，Ｅ２を出入りして遊ぶことができる。
【００３６】
以上、本発明の実施の形態について説明したが、本発明に係るペット用ベッドは、上記したような洋なしの形態に限定されるものではなく、他の果物の形態に形成されたものであってもよいし、犬や猫等の各種動物の形態に形成されたものであっても、四角や円等の各種形態に形成されたものであってもよく、その形態は特に限定されるものではない。
【００３７】
また、本発明に係るペット用ベッドにおいて、第一布部は、両面が同一素材で作成されたものに限定されず、両面が異なる素材で作成されたものであってもよい。同様に、第二布部は、両面が異なる素材で作成されたものに限定されず、両面が同一素材で作成されたものであってもよい。
【００３８】
また、本発明に係るペット用ベッドにおいて、係止部及び被係止部の数は、それぞれ、２つ以上であれば特に限定されるものでなく、また、係止部は、第一布部の他の側縁に沿って所定の間隔を空けて配列されていても、間隔を空けずに第一布部の他の側縁全体に連続して配列されていてもよい。同様に、被係止部は、第二布部の他の側縁に沿って所定の間隔を空けて配列されていても、間隔を空けずに第二布部の他の側縁全体に連続して配列されていてもよい。
【００３９】
また、係止部及び被係止部は、上記したような先端部に係止手段が設けられた係止バンドにより構成されるものに限定されず、第一布部及び第二布部に直接、係止手段及び被係止手段を取り付けてもよい。ここで、係止手段及び被係止手段は、面ファスナーに限定されず、例えば、スナップのソケットサイドとボールサイド、ボタンとボタンホール、又はファスナーであってよい。
【００４０】
また、本発明に係るペット用ベッドは、犬用に限定されるものではなく、猫やうさぎ等のペットとして飼われる各種動物用のベッドとして使用されてよい。
【図面の簡単な説明】
【００４１】
【図１】本発明の実施の形態に係るペット用ベッドの概略構成を示す概略構成図である。
【図２】本発明の実施の形態に係るペット用ベッドを、第一布部の外面側から視たときの斜視図である。
【図３】本発明の実施の形態に係るペット用ベッドを、第二布部の外面側から視たときの斜視図である。
【図４】本発明の実施の形態に係るペット用ベッドにおいて、係止部を被係止部へ係止する方法を説明するための説明図である。
【図５】本発明の実施の形態に係るペット用ベッドを、通常のペット用ベッドとして使用する場合の使用法を説明するための説明図である。
【図６】本発明の実施の形態に係るペット用ベッドを、ペット用マットとして使用する場合の使用法を説明するための説明図である。
【図７】本発明の実施の形態に係るペット用ベッドを、ペット用寝袋として使用する場合の使用法を説明するための説明図である。
【図８】本発明の実施の形態に係るペット用ベッドを、ペット用トンネルとして使用する場合の使用法を説明するための説明図である。
【符号の説明】
【００４２】
１  ペット用ベッド
２  第一布部
３  第二布部
４１、４２、４３、４４  係止バンド（係止部）
４１１、４２１、４３１、４４１  係止手段
５１、５２、５３、５４  被係止手段（被係止部）
Ｅ１、Ｅ２  ペット用の出入り口
【図１】
2009296894.tif 000003
【図２】
2009296894.tif 000004
【図３】
2009296894.tif 000005
【図４】
2009296894.tif 000006
【図５】
2009296894.tif 000007
【図６】
2009296894.tif 000008
【図７】
2009296894.tif 000009
【図８】
2009296894.tif 000010